(57)【特許請求の範囲】
【請求項１】
回動自在に固定された扉の少なくとも１箇所において、扉側に取り付けられた第１軸部材と扉の取付け対象体側に取り付けられた第２軸部材とが対向するように配置され、前記第１軸部材および前記第２軸部材の一方が磁石からなり、他方が磁性体または該磁石と吸引しあう磁石からなり、
前記第１軸部材および前記第２軸部材の対向面がともに平滑面であり、
前記第１軸部材および前記第２軸部材のうち少なくとも一方が、軸方向に沿って移動するように前記扉または前記取付け対象体に取り付けられ、前記扉が、磁石の吸引力によって、前記第１軸部材および前記第２軸部材の対向面が、前記第１軸部材および前記第２軸部材の取付け面から突出した状態で、前記取付け対象体に回動自在に固定され、前記扉と前記取付け対象体とが固定された状態で、磁石の吸引力に抗して前記取付け対象体から着脱可能に構成されてなることを特徴とする扉開閉構造。
【請求項２】
両端で回動自在に固定された扉の少なくとも一端において、扉側に取り付けられた第１軸部材と扉の取付け対象体側に取り付けられた第２軸部材とが対向するように配置され、前記第１軸部材および前記第２軸部材の一方が磁石からなり、他方が磁性体または該磁石と吸引しあう磁石からなり、
前記第１軸部材および前記第２軸部材の対向面がともに平滑面であり、
前記第１軸部材および前記第２軸部材のうち少なくとも一方が、軸方向に沿って移動するように前記扉または前記取付け対象体に取り付けられ、
前記扉が、磁石の吸引力によって、前記第１軸部材および前記第２軸部材の対向面が、前記第１軸部材および前記第２軸部材の取付け面から突出した状態で、前記取付け対象体に回動自在に固定され、前記扉と前記取付け対象体とが固定された状態で、磁石の吸引力に抗して前記取付け対象体から着脱可能に構成されてなることを特徴とする扉開閉構造。
【請求項３】
前記扉または前記取付け対象体に、前記移動するように取り付けられた軸部材を磁石の吸引方向と逆の方向に付勢する弾性体を備える請求項１または２記載の扉開閉構造。
【請求項４】
前記２つの軸部材の対向面の少なくとも一方に、滑材が設けられてなる請求項１〜３のいずれかに記載の扉開閉構造。
【発明の詳細な説明】
【技術分野】
【０００１】
本発明は扉開閉構造に関し、より詳しくは、建造物や家具、置物などに取り付けられた回動自在に開閉する扉の開閉構造に関する。
【背景技術】
【０００２】
回動自在に開閉する扉は建造物や家具、置物などに広く用いられており、そのような扉の開閉構造の多くは、軸部材（凸部）と軸受け（凹部）とを回動自在に凹凸係合固定したものである。特許文献１の扉開閉構造も、扉の回動中心の扉側と扉の取付け対象である本体側とに軸受けを設け、両方の軸受けに軸部材を回動自在に凹凸係合したものである。しかし、これら従来の扉開閉構造は扉の着脱を想定していないため、扉を本体から外そうとすれば、軸部材と軸受けの凹凸が障害となって着脱が容易でない。
【０００３】
また、特許文献２には、ヒンジ軸（凸部）と係合孔（凹部）による凹凸係合固定を基本構成としながら、ヒンジ軸を上下に移動できるように構成し、ヒンジ軸が係合孔に近づくと、ヒンジ軸と係合孔の両方に設けた磁石の吸引力でヒンジ軸が飛び出し、ヒンジ軸と係合孔による凹凸係合固定がなされるヒンジが提案されている。しかし、このヒンジも、凹凸係合によって扉をその取付け対象体に固定する技術であり、扉を本体から外そうとすれば、凹凸係合固定を解除する別の手段を必要とし、扉の着脱は容易でない。
【先行技術文献】
【特許文献】
【０００４】
【特許文献１】実用新案登録第３１６００３５号公報
【特許文献２】特開２００２−２１４１１号公報
【発明の概要】
【発明が解決しようとする課題】
【０００５】
本発明は、上記従来の問題に鑑みてなされたものであり、磁石の吸引力によって扉の取付け対象体に固定された回動式開閉扉において、扉の着脱が容易な扉開閉構造を提供することを目的とする。
【課題を解決するための手段】
【０００６】
本発明の扉開閉構造は、回動自在に固定された扉の少なくとも１箇所において、扉側に取り付けられた第１軸部材と扉の取付け対象体側に取り付けられた第２軸部材とが対向するように配置され、前記第１軸部材および前記第２軸部材の一方が磁石からなり、他方が磁性体または該磁石と吸引しあう磁石からなり、前記第１軸部材および前記第２軸部材の対向面がともに平滑面であり、前記第１軸部材および前記第２軸部材のうち少なくとも一方が、軸方向に沿って移動するように前記扉または前記取付け対象体に取り付けられ、前記扉が、磁石の吸引力によって、前記第１軸部材および前記第２軸部材の対向面が、前記第１軸部材および前記第２軸部材の取付け面から突出した状態で、前記取付け対象体に回動自在に固定され、前記扉と前記取付け対象体とが固定された状態で、磁石の吸引力に抗して前記取付け対象体から着脱可能に構成されてなることを特徴としている。
【０００７】
本発明の扉開閉構造は、両端で回動自在に固定された扉の少なくとも一端において、扉側に取り付けられた第１軸部材と扉の取付け対象体側に取り付けられた第２軸部材とが対向するように配置され、前記第１軸部材および前記第２軸部材の一方が磁石からなり、他方が磁性体または該磁石と吸引しあう磁石からなり、前記第１軸部材および前記第２軸部材の対向面がともに平滑面であり、前記第１軸部材および前記第２軸部材のうち少なくとも一方が、軸方向に沿って移動するように前記扉または前記取付け対象体に取り付けられ、前記扉が、磁石の吸引力によって、前記第１軸部材および前記第２軸部材の対向面が、前記第１軸部材および前記第２軸部材の取付け面から突出した状態で、前記取付け対象体に回動自在に固定され、前記扉と前記取付け対象体とが固定された状態で、磁石の吸引力に抗して前記取付け対象体から着脱可能に構成されてなることを特徴としている。
【００１０】
また、前記扉または前記取付け対象体に、前記移動するように取り付けられた軸部材を磁石の吸引方向と逆の方向に付勢する弾性体を備えることが好ましい。
【００１１】
また、前記２つの軸部材の対向面の少なくとも一方に、滑材が設けられてなることが好ましい。
【発明の効果】
【００１２】
本発明は、扉とその取付け対象体との固定を、凹凸係合固定ではなく、磁石の吸引力によって行うことができ、好ましくは磁石の吸引力のみによって行うことができる。そのため、扉とその取付け対象体とが磁石の吸引力によって固定された状態で、磁石の吸引力に抗して扉を容易に取り外すことができ、扉の着脱が容易である。これによって、購入者自身が、室内デザインや好みに応じて異なる意匠を有する扉に容易に交換することができる。また、扉を異なる意匠のものに交換することができるため、意匠ごとに扉を製造する必要がなく、製造販売業者は在庫点数を減らすことができ、在庫管理が容易となり、コストも低減できる。さらに、扉を交換するだけで多様な意匠を取り入れることができるので、意匠の選択肢を大幅に増やすことができる。さらに、扉が破損してもその交換が容易であるため、修復の際のコスト負担を軽減できる。
【００１３】
また、軸部材を、軸方向に沿って移動するように扉または取付け対象体に取り付けたものは、扉とその取付け対象体との間に空隙が形成され、対向する軸部材同士の間に空隙が形成される場合でも、その空隙に応じて、移動可能な軸部材が磁石の吸引力によって対向する軸部材に接近し、好ましくは移動可能な軸部材が取付け面から突出する。そのため、寸法精度の異なる構造体に対しても、磁石の吸引力による扉と取付け対象体との回動固定を確実に行うことができる。これによって、扉とその取付け対象体との間に、ある程度の空隙を有する家具などに対して、高い寸法精度を要求することなく磁石の吸引力による回動固定構造を容易に適用することができる。なお、この可動軸部材は、凹凸係合固定の係合と解除のために軸方向に沿って移動するものではなく、磁石の吸引力による回動固定を行うためのものである点で、従来の軸部材と明確に異なる。さらにいえば、扉とその取付け対象体とが固定された状態（軸部材が磁石の吸引力により引き出され、軸部材の取付け面から突出した状態）で、磁石の吸引力に抗して、扉をその取付け対象体から取り外すことができる点で、従来の凹凸係合固定を前提として移動自在に構成された軸部材とは作用が本質的に異なる。
【００１４】
さらに、磁石の吸引方向と逆の方向に付勢する弾性体を可動軸部材に取り付けたものは、扉とその取付け対象体とを固定していない状態では、可動軸部材は弾性体によってその取付け面側に付勢され、好ましくは軸部材の取付け面から突出しない方向に付勢されているため、扉の取付け時に軸部材は邪魔にならない。一方、扉を取付け対象体に固定するときには、軸部材は、弾性体の付勢力に抗する磁石の吸引力によって、対向する軸部材側に移動し、好ましくは軸部材の取付け面から突出するので、磁石の吸引力による扉と取付け対象体との回動固定を容易かつ確実に行うことができる。
【００１５】
さらに、扉側の軸部材と対象体側の軸部材の対向面に滑材を設けたものは、扉側の軸部材と対象体側の軸部材との摩擦抵抗が低減され、扉の回動および着脱がしやすい。
【図面の簡単な説明】
【００１６】
【図１】本発明の扉開閉構造に係る家具の概略斜視図である。
【図２】図１の家具に備えられた本発明の第１の実施の形態による扉開閉構造の概略断面図である。
【図３】図２に対応する図であって、扉の取付け前の状態における扉の取付け対象体を示した概略断面図である。
【図４】本発明の第２の実施の形態による扉開閉構造の概略断面図である。
【図５】図４に対応する図であって、扉の取付け前の状態における扉の取付け対象体を示した概略断面図である。
【発明を実施するための形態】
【００１７】
本発明の実施の形態による扉開閉構造について、添付図面に沿って詳細に説明する。
【００１８】
図１は、本発明の扉開閉構造に係る家具の概略斜視図であり、図２は、図１の家具に備えられた本発明の第１の実施の形態による扉開閉構造の概略断面図であり、図３は、図２に対応する図であって、扉の取付け前の状態における扉の取付け対象体を示した概略断面図である。
【００１９】
図１に示されるように、第１の実施の形態による扉開閉構造を備える家具Ａは、天板５と地板６を有し、三方の側面が覆われ、前面のほぼ全面が開口した箱形状を有する木製の構造体である。家具Ａの前面の両側には、開口を観音開き式に開閉する左右１対の扉１ａ，１ｂが取り付けられている。２枚の扉１ａ，１ｂは木製の長方形板状体である。扉１ａ，１ｂの一端は、家具Ａの前面の開口端より前方で、その上下が天板５および地板６に回動自在に固定されている。
【００２０】
図２に示されるように、扉１ａの取付け対象体側の部材である天板５の下面には、円柱形状の軸部材（以下、第１軸部材という）１０ａが、天板５の下面に形成された凹部１２に埋設されており、その下端が天板５の下面から下方に突出している。一方、扉１ａの上端には、第１軸部材１０ａと対向する位置に円柱形状の軸部材（以下、第２軸部材という）１０ｂが扉１ａの上面とほぼ面一でわずかに突出するように埋込み固定されている。
【００２１】
第１軸部材１０ａは鉄製であり、第２軸部材１０ｂは磁石からなる。これによって、第１軸部材１０ａは第２軸部材１０ｂに吸引され、その磁石の吸引力で、扉１ａは天板５に回動自在に固定される。なお、第１軸部材は鉄製に限定されず、磁性体やマルテンサイト系ステンレス鋼などの強磁性体にすることができる。磁石の種類も特に限定されるものではないが、取扱いが容易なフェライト磁石やネオジム磁石などの永久磁石を用いることが好ましい。
【００２２】
また、第１軸部材１０ａは、弾性体であるバネ１５を介して天板５に取り付けられている。そのため、第１軸部材１０ａは、バネ１５の伸縮範囲内で、軸方向に沿って移動自在となり、凹部１２内を摺動する。バネ１５は、第１軸部材１０ａを、磁石の吸引方向と逆の方向、すなわち第１軸部材１０ａが天板５の下面から突出しない方向である天板５側に付勢するものである。これによって、第１軸部材１０ａは、図３に示されるように、扉１ａの固定前には、その下端が天板５の下面から突出せず、天板５の下面とほぼ面一であるため邪魔にならない一方で、扉１ａを家具Ａに固定するときには、図２に示されるように、バネ１５の付勢力に抗する磁石の吸引力によって、対向する第２軸部材１０ｂの方に移動し、第２軸部材１０ｂに当接する。その結果、扉１ａと家具Ａとの間に空隙が形成されている場合でも、第１軸部材１０ａと第２軸部材１０ｂの間隔の分だけ第１軸部材１０ａが移動し、回動固定を確実に行うことができる。弾性体はバネに限定されるものではなく、ゴムやスポンジ等とすることができる。なお、第２軸部材の固定は嵌合やピン、ネジ、接着剤等によって行う。
【００２３】
第１軸部材１０ａの下端面と第２軸部材１０ｂの上端面、すなわち軸部材の対向面は、ともに平面であり、凹部が形成されていない。天板５の下面と扉１ａの上面も平面であり、扉１ａを凹凸係合固定するための凹凸は形成されていない。また、上述した対向面は平滑面であり、これによって、軸部材同士の対向面の接触による摩擦抵抗が低減され、扉１ａの回動および扉１ａの家具Ａからの着脱がしやすい。
【００２４】
一方、扉１ａの下端の回動固定は公知の軸受けによりなされているが、上述した扉１ａの上端におけるものと同じ構成にすることができる。なお、扉１ｂにおける扉開閉構造の構成も扉１ａにおけるものと基本的に同じなので、説明は繰り返さない。
【００２５】
図４は、本発明の第２の実施の形態による扉開閉構造の概略断面図であり、図５は、図４に対応する図であって、扉の取付け前の状態における扉の取付け対象体を示した概略断面図である。本実施の形態による扉開閉構造の構成は先に説明した第１の実施の形態によるものと基本的に同じなので、相違点を中心に説明する。
【００２６】
図４および５に示されるように、第２の実施の形態による扉１ａは、第１軸部材１０ａの上側に外周全体にわたって鍔２０が形成されており、第１軸部材１０ａが縦断面でＴ字形状を有する点、および天板５の下面に形成された凹部に、ケーシング１６が埋込み固定され、このケーシング１６の中に圧縮バネ１５と第１軸部材１０ａとが収容されている点が第１の実施の形態によるものと異なる。
【００２７】
ケーシング１６は、円筒形状を有する部材であり、中空部に第１軸部材１０ａとバネ１５を収容する。ケーシング１６の下面には、周全体にわたって中心に向かって延びる縁２１が形成されており、縁２１の内側に、軸部材１０ａの本体外周よりも広く、軸部材１０ａの鍔２０の外周よりも狭い径を有する開口が形成されている。このケーシング１６内は、図４に示されるように、縁２１上にバネ１５を載置し、さらに第１軸部材１０ａの下端を、バネ１５を介してケーシング１６下面の開口に挿通し、バネ１５が、第１軸部材１０ａの鍔２０とケーシング１６の縁２１とに挟まれるよう構成されている。そして、このように構成されたケーシング１６は、その前記開口側が天板５の下面に位置するように天板５の凹部に埋込み固定される。このように構成することによっても、第１軸部材１０ａは、バネ１５によって、磁石の吸引方向と逆の方向、すなわち第１軸部材１０ａが天板５の下面から突出しない方向に付勢される。これによって、第１軸部材１０ａは、図５に示されるように、扉１ａの固定前には、第１軸部材１０ａの下端が天板５の下面から突出せず、天板５の下面とほぼ面一であるため邪魔にならない一方で、扉１ａを家具Ａに固定するときには、図４に示されるように、バネ１５の付勢力に抗する磁石の吸引力によって、対向する第２軸部材１０ｂの方に移動し、第２軸部材１０ｂに当接する。その結果、扉１ａと家具Ａとの間に空隙が形成されている場合でも、第１軸部材１０ａと第２軸部材１０ｂの間隔の分だけ第１軸部材１０ａが移動し、回動固定を確実に行うことができる。なお、ケーシング１６の材質は特に限定されるものではなく、非磁性の金属や合成樹脂、木材を用いることができる。
【００２８】
以上のように、本発明の上記実施の形態による扉開閉構造によれば、扉とその取付け対象体との固定を、磁石の吸引力によって行うことができるため、扉とその取付け対象体とが磁石の吸引力によって固定された状態で、磁石の吸引力に抗して扉を容易に取り外すことができ、扉の着脱が容易である。また、一方の軸部材は軸方向に沿って移動自在に構成されているので、扉とその取付け対象体との間に空隙が形成されている場合でも、その空隙の距離に応じて、一方の軸部材が、対向する他方の軸部材に磁石の吸引力により接近し当接することができる。その結果、家具などのように扉と本体との間にある程度の空隙が形成されているものでも、本発明の磁石の吸引力による回動固定の構造を適用することができ、寸法精度の異なる構造体に対しても扉と取付け対象体との回動固定を確実に行うことができる。さらに、磁石の吸引方向と逆の方向に付勢する弾性体を取り付けることにより、扉とその取付け対象体とを固定していない状態では、軸部材はその取付け面から突出しない方向に弾性体によって付勢されているため、邪魔にならない一方、扉とその取付け対象体とを固定するときには、軸部材は、弾性体の付勢力に抗する磁石の吸引力によって、対向する他方の軸部材側に移動し、当接する。その結果、扉と取付け対象体との回動固定を容易かつ確実に行うことができる。
【００２９】
なお、上記実施の形態では扉の取付け対象体は家具であったが、これに限定されるものではなく、箱、建物、あるいは電子機器などに幅広く適用することができる。開閉式扉も左右１対のものや１枚扉に限定されるものではなく、上下開閉式や蓋状の扉に適用することができ、また、３枚以上の扉を有するものにも適用することができる。さらに、開閉についても半開き状態等の部分的な開閉も含む。扉も木製に限定されず、非磁性体材料からなるものであれば良く、合成樹脂製やアルミニウム製にすることができる。
【００３０】
また、上記実施の形態では、扉の上端側に本発明の扉開閉構造が設けられていたが、これに限定されるものではなく、扉の下端側でも良く、扉の両端に設けられていても良い。扉の下端側に本発明の扉開閉構造を設ける場合、扉は吊り扉とすることが好ましい。また、上下開閉式や蓋状の扉に本発明の扉開閉構造を適用する場合、扉の両側端の一方または両方に扉開閉構造を設けることができる。また、扉に取り付けられた丁番の回転軸に、本発明の扉開閉構造を適用することもできる。
【００３１】
さらに、上記実施の形態では、移動可能な軸部材は扉の取付け対象体である家具に取り付けられていたが、これに限定されるものではなく、扉側に取り付けても良く、扉側と取付け対象体側の両方に取り付けることもできる。
【００３２】
さらに、上記実施の形態では、軸部材はその取付け面とほぼ面一になるように配置されていたが、これに限定されるものではなく、軸部材は、その取付け面から突出するように配置されていても良く、取付け面から突出せず、取付け面と面一、あるいは取付け面から凹むように配置されていても良い。また、軸部材は、扉や取付け対象体に埋め込まれていることに限定されるものではなく、扉や取付け対象体に外付けすることもできる。
【００３３】
さらに、上記実施の形態では軸部材の形状は円柱形状であったが、これに限定されるものではなく、角柱形状や球形状、平板形状であっても良く、また、軸部材の材質についても、両方の軸部材を磁石にすることができる。その場合、軸部材は２つの軸部材の対向端の磁極が異なるように配置する。さらに、軸部材は、磁石のみまたは磁性体のみからなるものに限定されず、磁石や磁性体を含む部材であっても良い。そのような部材として、たとえば磁石を収容したケーシングや磁石や磁性体を粒子状にして混合した合成樹脂からなる成形物があげられる。
【００３４】
さらに、上記実施の形態では、扉側の軸部材および対象体側の軸部材に平滑面が形成されていたが、この平滑面は研磨材を用いて研磨することによって形成したものであっても良い。また、扉側の軸部材および対象体側の軸部材の接触による摩擦抵抗を軽減するため、扉側の軸部材および対象体側の軸部材の対向面の少なくとも一方に、滑材が設けられていることが好ましい。滑材としては、ニッケルなどの鍍金、テフロン（登録商標）コーティングなどの合成樹脂からなる塗膜、ジュラコン（登録商標）などの硬質の合成樹脂やゴムからなるシート部材、木製の板状体、合成樹脂がコーティングされた紙、潤滑油などがあげられる。これら滑材の厚さは、扉側の軸部材および対象体側の軸部材の吸引力を大幅に低下しない程度であれば良く、できるだけ薄い方が良く、好ましくは２ｍｍ以下である。シート部材や木製の板状体、コーティングされた紙は接着剤によって軸部材に固定することができる。本発明における軸部材の対向面の接触および当接には、上記滑材を介した接触および当接が含まれることはいうまでもない。
【符号の説明】
【００３５】
Ａ  家具
１ａ，１ｂ  扉
５  天板
６  地板
１０ａ  （第１）軸部材
１０ｂ  （第２）軸部材
１２  凹部
１５  バネ
１６  ケーシング
２０  鍔
２１  縁
【図１】
0005444200.tif 000002
【図２】
0005444200.tif 000003
【図３】
0005444200.tif 000004
【図４】
0005444200.tif 000005
【図５】
0005444200.tif 000006